(57)【要約】【課題】切れ味、耐久性を向上させた替刃鋸を実現する。【解決手段】断面倒Ｕ字状の背金２に鋸刃板１の上辺部分を挿入し、基部を把持柄３に挿入する。背金２及び鋸刃板１の中子部分の下縁に切欠部４、５を設け、鋸刃板１の切欠部４を浅く形成することによって、把持柄３の下方から螺入させたねじ６の先端で鋸刃板を押し上げ、背金２の内面上縁に密接させる。鋸刃板１には基端部分に背金２に密接する直線状の接触部分７を形成するとともに、接触部分７の前端を支点部８とし、支点部８よりも先方に背金２の内面上縁よりも下方に位置する非接触部分９を形成する。切断作業にともなって鋸歯に発生する振動は、鋸刃板１自体のスプリング効果によって吸収し、鋸刃板全体に波及させない。【選択図】  図１
2011245672.tif 000002
【特許請求の範囲】
【請求項１】
断面倒Ｕ字状の背金に鋸刃板の上辺部分を挿入し、背金及び鋸刃板の基部であって把持柄に挿入する中子部分の下縁にそれぞれ切欠部を設け、該切欠部の深さを背金の切欠部よりも鋸刃板の切欠部を浅く形成し、把持柄の下方から螺入させたねじの先端で、鋸刃板の切欠部を押し上げ、鋸刃板の上縁を背金の内面上縁に密接させる替刃鋸において、
背金の内面上縁を全長にわたって直線状に形成するとともに、鋸刃板の上縁基部であって切欠部よりも先方位置に達し、背金に密接する直線状の接触部分を形成するとともに、接触部分の前端を支点部とし、該支点部よりも先方の鋸刃板上縁を背金の内面上縁よりも下方に位置させて非接触部分とすることを特徴とする替刃鋸。
【請求項２】
鋸刃板上縁の非接触部分は、接触部分の直線方向に対して支点部よりも先方の上縁を下方に傾斜する直線状に形成したことを特徴とする請求項１記載の替刃鋸。
【請求項３】
鋸刃板上縁は支点部に段部を形成し、該段部より先方を接触部分よりも下方に位置し、接触部分の直線方向と平行な非接触部分を形成したことを特徴とする請求項１記載の替刃鋸。
【請求項４】
断面倒Ｕ字状に形成する背金の左右両側壁間の隙間は、鋸刃板の厚みと一致させ、鋸刃板の面方向の振れを防止するとともに、背金によって鋸刃板に面方向の挟持力が作用しないようにしたことを特徴とする請求項１ないし３のいずれかに記載の替刃鋸。
【請求項５】
背金の先端を、鋸刃板の前端よりも前方に突出させたことを特徴とする請求項１ないし４のいずれかに記載の替刃鋸。
【発明の詳細な説明】
【技術分野】
【０００１】
この発明は、断面倒Ｕ字状の背金と、背金に挿入する鋸刃板と、背金及び鋸刃板の基部である中子部分を挿入保持する把持柄とで構成する替刃鋸に関する発明である。
【背景技術】
【０００２】
替刃鋸には、断面倒Ｕ字状の背金と、背金に挿入する鋸刃板と、背金及び鋸刃板の基部である中子部分を挿入保持する把持柄とで構成し、把持柄に挿入する背金及び鋸刃板の基部である中子部分の下縁にそれぞれ切欠部を設け、切欠部の深さを、背金の切欠部よりも鋸刃板の切欠部を浅く形成し、把持柄の下方から螺入させたねじの先端で鋸刃板を押し上げ、鋸刃板の上縁を背金の内面上縁に密接させて鋸刃板を安定させる替刃鋸が知られている。
【先行技術文献】
【特許文献】
【０００３】
【特許文献１】実公昭４７−１５７４９号公報
【特許文献２】実開昭５５−１５１５０１号公報
【特許文献３】特開２００５−２８００４０号公報
【特許文献４】特開２００７−３３１１３１号公報
【発明の概要】
【発明が解決しようとする課題】
【０００４】
特許文献１及び２に記載された発明は、背金の全長にわたって鋸刃板の上縁が密接して保持される。このとき、特許文献１及び２の実施形態では、背金が鋸刃板の先端にまで達していない。特許文献３に記載された発明は、背金の代わりに把持柄内に倒Ｖ字状の支受金具を配置し、支受金具の範囲において鋸刃板を支持している。このような従来技術は、鋸刃板の剛性によって強度を維持しているため、鋸刃板の厚みはある程度厚いものが利用されている。
【０００５】
引用文献４に記載された発明では、背金が鋸刃板の前端にまで延長されているため、強度が向上し薄くて切れ味の鋭い鋸刃板を採用することができる。しかしながら、引用文献４に記載された替刃鋸では、鋸刃板の上縁が背金の全長にわたって密接する構造であるため、切断作業によって鋸歯に発生した振動が背金を介して鋸刃板全体に伝わり、切断精度や切れ味に悪影響を及ぼし、ひいては鋸刃板や鋸歯を損傷させる可能性があることが判明した。
【０００６】
上記、従来技術の欠点に鑑み、本発明は鋸刃板下縁の鋸歯に発生する振動の伝播を抑制して切れ味を向上させるとともに、振動による鋸刃板の損傷を防止して耐久性を向上させる替刃鋸を実現することを目的とするものである。さらに、本発明の他の目的は、より薄い鋸刃板の採用を可能とし、精度の高い切断が可能な替刃鋸を実現することである。
【課題を解決するための手段】
【０００７】
本発明に係る替刃鋸は、断面倒Ｕ字状の背金２に鋸刃板１の上辺部分を挿入し、背金２及び鋸刃板１の基部であって把持柄３に挿入する中子部分1a、2aの下縁にそれぞれ切欠部を設け、切欠部の深さを背金２の切欠部５よりも鋸刃板１の切欠部４を浅く形成し、把持柄３の下方から螺入させたねじ６の先端で鋸刃板１の切欠部４を押し上げ、鋸刃板１の上縁を背金２の内面上縁に密接させる替刃鋸に関するものである。
【０００８】
前記目的を達成する請求項１記載の発明は、背金２の内面上縁を全長にわたって直線状に形成する。一方、鋸刃板１には、上縁基部であって基端から切欠部４よりも先方位置に達し、背金２に密接する直線状の接触部分７を形成するとともに、接触部分７の前端を支点部８とし、支点部８よりも先方の鋸刃板１上縁を背金２の内面上縁よりも下方に位置させて非接触部分９とする。
【０００９】
請求項２記載の発明は、接触部分７の直線方向に対して支点部８よりも先方の上縁を下方に傾斜する直線状に形成することによって鋸刃板１上縁の非接触部分９を形成することである。
請求項３記載の発明は、鋸刃板１上縁の支点部８に段部10を形成し、この段部10より先方を接触部分７よりも下方に位置し、接触部分７の直線方向と平行に非接触部分９を形成することである。
【００１０】
請求項４記載の発明は、断面倒Ｕ字状に形成する背金２の左右両側壁間の隙間Ｘを、鋸刃板１の厚みＴと一致させ、鋸刃板１の面方向の振れを防止するとともに、背金２によって鋸刃板１に面方向の挟持力が作用しないようにすること、請求項５記載の発明は、背金２の先端を、鋸刃板１の前端よりも前方に突出させることである。
【発明の効果】
【００１１】
請求項１記載の発明によれば、鋸刃板１の上縁は、直線状の接触部分７が背金２の内面上縁に密着して安定する。木材などの切断作業によって鋸歯11に力が作用した場合、すなわち、鋸刃板１の下縁に振動や衝撃が発生し、あるいは鋸刃板１を上方に押し上げる力が作用した場合、鋸刃板１の非接触部分９が上方に撓む、すなわち鋸刃板１の弾性（スプリング効果）によって上方への振動や衝撃を吸収し、鋸刃板１全体を安定させ、切れ味を向上させる効果がある。また、振動を吸収する結果、個々の鋸歯に対する負担が軽減し、耐久性を向上させる。
鋸刃板１の上縁全体が背金に密接している場合は、鋸歯11に発生した振動が鋸刃板１全体に伝播し、鋸歯11全体が振動し円滑な切断作用を阻害する可能性がある。
【００１２】
請求項２記載の発明は、非接触部分９を形成する一実施例であるが、鋸刃板１の上縁全体をへ字状に形成することになり、支点部８を支点として先方全体が安定的に上方に撓む状態を実現することができる。請求項３記載の発明は、非接触部分９を形成する他の実施例であるが、非接触部分９全体の確実な非接触状態を実現し、段部10形成部分において撓みを助長し、衝撃や振動を吸収する効果がある。
【００１３】
請求項４記載の発明によれば、鋸刃板１が上方に撓む際、鋸刃板１を挟持することによって鋸刃板１に無理な力が作用しない。したがって、従来の替刃鋸に比較して非常に薄い鋸刃板を使用し、精度の高い切断をすることができる。
請求項５記載の発明によれば、鋸刃板１の全長にわたって上辺部分を保持するため、鋸刃板１を確実に保持することができる。
【図面の簡単な説明】
【００１４】
【図１】図１は、一部を切断拡大表示した、本発明替刃鋸の正面図、
【図２】図２は、鋸刃板と背金を分離させた状態を示す替刃鋸の正面図、
【図３】図３は、一部省略の替刃鋸の縦断面図、
【図４】図４は、図３のIV−IV線拡大断面図、
【図５】図５は、図３のV−V線拡大断面図、
【図６】図６は、鋸刃板の別の実施形態を示す正面図ある。
【発明を実施するための形態】
【００１５】
以下、本発明に係る替刃鋸の実施形態を添付の図面に基づいて説明する。
図１は、本発明替刃鋸の正面図であって、一部を切断拡大表示している。本発明に係る替刃鋸は、断面倒Ｕ字状の背金２に鋸刃板１の上辺部分を挿入し、背金２に鋸刃板１の上辺部分を挿入した状態で、中子部分1a、2aを把持柄３の挿入孔12に挿入している。
【００１６】
背金２及び鋸刃板１を把持柄３に固定するには、鋸刃板１の基部である中子部分1aを背金２の基部である中子部分2aにぴったりと挿入できる幅に形成し、一体的に挿入した中子部分を把持柄３の挿入孔12に挿入する。このとき、把持柄３の挿入孔12に挿入する鋸刃板１及び背金２の中子部分には、下縁の重なり合う位置に同じ幅の切欠部４、５を設けている。そして、鋸刃板１の切欠部４は、背金５の切欠部５よりも浅く形成し、把持柄３の下方から螺入させたねじ６の先端で切欠部４において鋸刃板１を押し上げることによって、鋸刃板１の上縁を背金２の内面上縁に密接させるとともに把持柄３の定位置に固定できるようにしている。
【００１７】
図中13は、把持柄３の挿入孔12に固定した雌ねじ部材であり、ねじ６を雌ねじ部材12に螺合させてねじ６の先端で鋸刃板１を上方に押し上げるとともに、切欠部４、５の幅をねじ６の直径と一致させることによって、鋸刃板１と背金２の長手方向の移動を阻止している。
【００１８】
図２に示すように、背金２の上辺は、全長に渡って直線的に形成する。すなわち、所定の形状に形成した板材を二つ折りとして形成する。
一方、薄い鋼板で形成する鋸刃板１の上辺は、ほぼ中子部分、具体的には把持柄３の先端よりも少し先方位置を支点部８とし、支点部８よりも基方を直線的な接触部分７とし、支点部８よりも先方の上辺をやや下向きの直線に形成して非接触部分８としている。
【００１９】
上記構成とすることによって、中子部分を把持柄３の挿入孔12に挿入し、ねじ６を締め上げた場合に、ねじ６によって切欠部４を押し上げられた鋸刃板１は、直線的な接触部分７が背金２の内面上縁に押圧されて密接する。
一方、支点部８よりも先方の鋸刃板１の上縁は、背金２の内面上縁に接触しない非接触部分９となる。非接触部９は先方へ行くにしたがって大きな隙間Ｚとなる。隙間Ｚは、最小で２mm程度とするのが効果的であった。
【００２０】
図３に示す替刃鋸で切断作業を行うと、切断作業にともなって鋸歯部分に発生した振動、衝撃は鋸刃板１の弾性、すなわち撓みによって吸収され鋸刃板１全体に伝播しない。切断作業に際して、木目の偏り、節の存在などによって一部の鋸歯に衝撃や振動が発生する場合があるが、本発明では発生した振動が鋸刃板１全体に伝播せず、振動が発生した部分以外の鋸歯は、振動や衝撃の影響を受けることなく切断作業を行うことができる。すなわち、切断材料に部分的な硬さの変化がある場合であっても、切れ味に変化がなく、円滑に切断することができることになる。
【００２１】
非接触部分９は、図２に示す実施形態のように鋸刃板１の上縁を全体としてへ字状に形成するほか、図６に示すように支点部８に段部10を形成し、段部10より先方を接触部７と平行に形成することもできる。この実施形態では、非接触部分は、その全長において背金２内面上縁との間に一定の隙間Ｚが形成されることになる。
【００２２】
鋸刃板１の上辺部分は、倒Ｕ字状に折曲した背金２に支持されるが、背金２の左右両側壁間の隙間Ｘは、鋸刃板１の厚みＴとできるだけ一致させるのが好ましい。この、隙間Ｘを鋸刃板１の厚みＴと一致させる精度は、鋸刃板１の面方向の振れを防止することができるとともに、背金２によって鋸刃板１に面方向の挟持力が作用しない範囲である。
また、背金２は図３に示すように、鋸刃板１よりも長く形成し、鋸刃板１の全長を背金２で支持することができるようにするのが好ましい。これにより、非常に薄い鋸刃板１を使用する場合であっても、十分な強度を得ることができる。
【００２３】
本発明者らは、鋸刃板の厚みを、例えば0.15mm程度の非常に薄い板材を採用し、振動を鋸刃板のスプリング効果で吸収し、精度の高い切断を行うことができる替刃鋸を実現した。
鋸刃板１の上縁全体が背金２に密接している従来の替刃鋸では、背金２と鋸刃板１が相対的に移動することがないため、鋸刃板１が背金２にしっかりと挟持されるものであっても、鋸刃板１に応力が発生しない。ところが、本発明では鋸刃板１の上縁と背金の内面上縁との間に隙間が形成され、背金２と鋸刃板１が相対的に上下方向に移動する。そのため、鋸刃板１が背金２に挟持された状態であると、鋸刃板１と背金２の相対的な移動にともなって応力が発生し、鋸刃板１の板厚が薄いものであると変形や歪となってしまう。したがって、背金２の左右両側壁間の隙間Ｘは、鋸刃板１の厚みＴよりもプラス側の誤差であって、誤差は可能な限り小さいことが望ましい。
【符号の説明】
【００２４】
１…鋸刃板、  1a、2a…中子部分、  ２…背金、  ３…把持柄、  ４、５…切欠部、  ６…ねじ、  ７…接触部分、  ８…支点部、  ９…非接触部分、  10…段部、  11…鋸歯、  12…挿入孔、  13…雌ねじ部材。
【図１】
2011245672.tif 000003
【図２】
2011245672.tif 000004
【図３】
2011245672.tif 000005
【図４】
2011245672.tif 000006
【図５】
2011245672.tif 000007
【図６】
2011245672.tif 000008
【手続補正書】
【提出日】平成23年2月24日(2011.2.24)
【手続補正１】
【補正対象書類名】明細書
【補正対象項目名】０００５
【補正方法】変更
【補正の内容】
【０００５】
特許文献４に記載された発明では、背金が鋸刃板の前端にまで延長されているため、強度が向上し薄くて切れ味の鋭い鋸刃板を採用することができる。しかしながら、引用文献４に記載された替刃鋸では、鋸刃板の上縁が背金の全長にわたって密接する構造であるため、切断作業によって鋸歯に発生した振動が背金を介して鋸刃板全体に伝わり、切断精度や切れ味に悪影響を及ぼし、ひいては鋸刃板や鋸歯を損傷させる可能性があることが判明した。